(57)【要約】【課題】カメラ付き携帯電話により撮像された画像をプリント、配送可能とするプリント配送システムを提供する。【解決手段】カメラ付き携帯電話１０１は、撮像した画像データと専用アドレスを、サーバ１０３にプリント配送依頼を行い（ステップ４０２）、サーバ１０３は、携帯電話から前記画像データと専用アドレスを受け取り、専用アドレスに応じた画像プリント装置１０７に、画像データを送信する（ステップ４１２、４１３）。画像プリント装置１０７は、受け取った画像データに基づいて、プリント物を印刷出力し（ステップ４２１、４２２、４２３）、プリント物をプリントボックスに保管し、設定された認証情報を鍵として施錠する（ステップ４２４）。利用者は、開錠するために認証情報を入力し、真正な認証情報であれば開錠する（ステップ４２５）。【選択図】  図４
2004295530.tif 000002
【特許請求の範囲】
【請求項１】
携帯端末と、サーバと、画像プリント装置がネットワークを介して接続されたシステムであって、
前記携帯端末は、
画像データと、受取人の専用アドレスを、前記サーバに送信する通信手段、
を具備し、
前記サーバは、
前記携帯端末からの前記画像データと前記専用アドレスを受け取る受取手段と、
前記専用アドレスに応じた画像プリント装置に、前記画像データを送信する送信手段と、
を具備し、
前記画像プリント装置は、
前記サーバからの前記画像データを受信する受信手段と、
前記画像データに基づいて、プリント物を印刷する印刷手段と、
前記プリント物を保管し、設定された認証情報を鍵として施錠を行う保管手段と、
を具備することを特徴とするプリント配送システム。
【請求項２】
前記サーバは、
予め、前記携帯端末から受信された個人情報を登録する登録手段と、
前記利用者の自宅に対応する前記画像プリント装置の専用アドレスを発行する発行手段と、
を具備することを特徴とする請求項１記載のプリント配送システム。
【請求項３】
前記画像プリント装置は、集合住宅、又は店舗内に設けられることを特徴とする請求項１記載のプリント配送システム。
【請求項４】
前記個人情報は、氏名、住所、メールアドレス、携帯電話番号等の情報の少なくとも１つ以上であることを特徴とする請求項２記載のプリント配送システム。
【請求項５】
前記画像データは、画像を示すデータと、注文情報を有することを特徴とする請求項１記載のプリント配送システム。
【請求項６】
前記画像データは、カメラ付き携帯電話で撮像した画像データや、カメラ付き携帯電話から転送された画像データであることを特徴とする請求項１記載のプリント配送システム。
【請求項７】
前記保管手段は、少なくとも１つ以上の保管ボックスを有し、前記印刷手段で印刷された前記プリント物を、未使用の前記保管ボックスに、排出することを特徴とする請求項１記載のプリント配送システム。
【請求項８】
前記画像プリント装置は、
前記サーバを介して、設定した前記認証情報を、前記専用アドレスに応じた受取人の携帯端末に送信する認証情報送信手段、
を更に具備することを特徴とする請求項１記載のプリント配送システム。
【請求項９】
前記画像プリント装置は、
受信された画像データ、予め保持する画像データのうち少なくともいずれかを用いて画像を加工し、別の画像データを作成する画像加工手段、を更に具備することを特徴とする請求項１記載のプリント配送システム。
【請求項１０】
前記サーバは、
課金を行う課金手段、を更に具備することを特徴とする請求項１記載のプリント配送システム。
【請求項１１】
携帯端末と、サーバと、ネットワークを介して接続された画像プリント装置であって、
前記サーバを介して、前記携帯端末からの前記画像データを受信する受信手段と、
前記画像データに基づいて、プリント物を印刷する印刷手段と、
前記プリント物を保管し、設定された認証情報を鍵として施錠を行う保管手段と、
を具備することを特徴とする画像プリント装置。
【請求項１２】
前記画像データは、カメラ付き携帯電話で撮像した画像データや、カメラ付き携帯電話から転送された画像データであることを特徴とする請求項１１記載の画像プリント装置。
【請求項１３】
前記画像プリント装置は、集合住宅、又は店舗内に設けられることを特徴とする請求項１１記載の画像プリント装置。
【請求項１４】
前記画像データは、画像を示すデータと、注文情報を有することを特徴とする請求項１１記載の画像プリント装置。
【請求項１５】
前記保管手段は、少なくとも１つ以上の保管ボックスを有し、前記印刷手段で印刷された前記プリント物を、未使用の前記保管ボックスに、排出することを特徴とする請求項１１記載の画像プリント装置。
【請求項１６】
前記サーバを介して、設定した前記認証情報を、専用アドレスに応じた受取人の前記携帯端末に送信する認証情報送信手段、
を更に具備することを特徴とする請求項１１記載の画像プリント装置。
【請求項１７】
受信された画像データ、予め保持する画像データのうち少なくともいずれかを用いて画像を加工し、別の画像データを作成する画像加工手段、を更に具備することを特徴とする請求項１１記載の画像プリント装置。
【請求項１８】
コンピュータを請求項１から請求項１０までのいずれかに記載のプリント配送システムとして機能させるプログラム。
【請求項１９】
コンピュータを請求項１から請求項１０までのいずれかに記載のプリント配送システムとして機能させるプログラムを記録した記録媒体。
【請求項２０】
コンピュータを請求項１１から請求項１７までのいずれかに記載の画像プリント装置として機能させるプログラム。
【請求項２１】
コンピュータを請求項１１から請求項１７までのいずれかに記載の画像プリント装置として機能させるプログラムを記録した記録媒体。
【発明の詳細な説明】
【０００１】
【発明の属する技術分野】
本発明は、カメラ付き携帯電話で撮像した画像を、プリント、配送するプリント配送システム等に関する。
【０００２】
【従来の技術】
最近、カメラ付き携帯電話により撮像した画像を登録し、待受け画面として利用したり、この画像をカメラ付き携帯電話機で他へ転送したりするものが開発されてきている。
【０００３】
また、従来、デジタルカメラ等で撮影した画像や最近のカメラ付き携帯電話の画像は、従来のように写真店にフィルムを持ち込んで印刷してもらうのでなく、パソコンやプリンタなどを用いて自宅でプリントすることが可能である。
ところが、撮影した画像をより美しく、様々な工夫を凝らして加工したいという要求が存在する一方で、デジタルカメラ、パソコン、プリンタ、スキャナー等の電子機器は進歩が速く、次々に性能の高い新製品が売り出されるため、個人が常に、最高級のプリント作成を行うことは難しく、また撮影された画像と合成するフレーム画像等の副画像も、個人では利用可能なものには限界が有る。
【０００４】
そこで、カメラ店等の店舗に設置された、比較的小さなスペースに設置することが可能な画像出力装置である、デジタルフォトプリント装置により、画像が記録された記録媒体や、既にプリントされた写真を持ちこんで、フレーム画像等を合成したりしてプリントする方法がある（デジタルフォトプリントシステム、例えば、［特許文献１］、［非特許文献１］参照。）。
また、デジタルカメラ等で撮像したデジタル画像データを、家庭にあるパソコンを利用してインターネットを経由して最寄りのラボに送信し、ラボでプリント処理を行い、プリント物を受け取りに出向いたり宅配してもらうシステムが提案されている（例えば、［特許文献２］）。
【０００５】
【特許文献１】
特開２００２−４６３２４号公報（第１８頁段落番号［０１４５］、図５〜図１０）
【特許文献２】
特開平１１−１５４２１８号
【非特許文献１】
大日本印刷株式会社、”デジカメプリントのすすめ”、［ｏｎｌｉｎｅ］、［２００２年１２月１日検索］、インターネット＜ＵＲＬ：ｈｔｔｐ：／／ｗｗｗ．ｄｉｇｉｃａｍａｔｅｓ．ｃｏｍ／ｓｕｓｕｍｅ／ｉｎｄｅｘ．ｈｔｍｌ＞
【０００６】
【発明が解決しようとする課題】
カメラ付き携帯電話により撮像した画像をプリントしたいという要求が存在する一方で、画像のプリント処理には、相当の処理時間がかかり、特に、即時プリントの場合は、印刷処理自体の処理時間がそのまま待ち時間に影響する。また、注文した画像のプリント物を配送してほしいという要求も存在する。
【０００７】
本発明は、以上の問題点に鑑みてなされたものであり、カメラ付き携帯電話により撮像された画像をプリント、配送可能とするプリント配送システムを提供することを目的とする。
【０００８】
【課題を解決するための手段】
前述した目的を達成するために第１の発明は、携帯端末と、サーバと、画像プリント装置がネットワークを介して接続されたシステムであって、前記携帯端末は、画像データと、受取人の専用アドレスを、前記サーバに送信する通信手段、を備え、前記サーバは、前記携帯端末からの前記画像データと前記専用アドレスを受け取る受取手段と、前記専用アドレスに応じた画像プリント装置に、前記画像データを送信する送信手段と、を備え、前記画像プリント装置は、前記サーバからの前記画像データを受信する受信手段と、前記画像データに基づいて、プリント物を印刷する印刷手段と、前記プリント物を保管し、設定された認証情報を鍵として施錠を行う保管手段と、を備えることを特徴とするプリント配送システムである。
【０００９】
また、前記サーバは、予め、前記携帯電話から受信された個人情報を登録する登録手段と、前記利用者に対応した前記画像プリント装置の専用アドレスを発行する登録手段を具備することが望ましい。
また、前記画像プリント装置は、前記サーバを介して、設定した前記認証情報を、前記専用アドレスに応じた受取人の携帯端末に送信する認証情報送信手段、を更に具備することが望ましい。
また、前記画像プリント装置は、さらに、受信された画像データ、予め保持する画像データのうち少なくともいずれかを用いて画像を加工し、別の画像データを作成する画像加工手段、を更に具備することが望ましい。
また、前記サーバは、課金を行う課金手段、を更に具備することが望ましい。
【００１０】
「携帯端末」は、携帯電話やＰＤＡを含む。
「個人情報」は、氏名、住所、メールアドレス、携帯電話番号等の少なくとも１つ以上の情報である。
「画像データ」は、カメラ付き携帯電話で撮像した画像データや、カメラ付き携帯電話から転送された画像データであり、プリント枚数、プリント種別等の注文情報も有する。
「認証情報」は、保管手段であるプリントボックスの錠のパスワードである。
【００１１】
第１の発明では、携帯端末は、画像データと、受取人の専用アドレスを、サーバに送信し、サーバは、携帯端末からの画像データと専用アドレスを受け取り、専用アドレスに対応した画像プリント装置に、画像データを送信する。画像プリント装置は、サーバからの画像データを受信し、画像データに基づいて、プリント物を印刷し、プリント物を保管し、設定された認証情報を鍵として施錠する。
【００１２】
第２の発明は、携帯端末と、サーバと、ネットワークを介して接続された画像プリント装置であって、前記サーバを介して、前記携帯端末からの前記画像データを受信する受信手段と、前記画像データに基づいて、プリント物を印刷する印刷手段と、前記プリント物を保管し、設定された認証情報を鍵として施錠を行う保管手段と、を具備することを特徴とする画像プリント装置である。
【００１３】
第２の発明は、第１の発明のプリント配送システムで用いられる画像プリント装置に関する発明である。
【００１４】
第３の発明は、第１の発明のプリント配送システムとして機能させるプログラムである。
第４の発明は、第１の発明のプリント配送システムとして機能させるプログラムを記録した記録媒体である。
第５の発明は、第２の発明の画像プリント装置として機能させるプログラムである。
第６の発明は、第２の発明の画像プリント装置として機能させるプログラムを記録した記録媒体である。
【００１５】
上述のプログラムをＣＤ−ＲＯＭ等の記録媒体に保持させて流通させてもよいし、このプログラムを通信回線を介して送受することもできる。
【００１６】
【発明の実施の形態】
以下、添付図面を参照しながら、本発明に係るプリント配送システム等の好適な実施形態について詳細に説明する。なお、以下の説明及び添付図面において、略同一の機能構成を有する構成要素については、同一の符号を付することにより重複説明を省略することにする。
【００１７】
最初に、図１を参照しながら、本発明の実施の形態に係るプリント配送システム１００の構成について説明する。
図１は、プリント配送システム１００の構成を示すブロック図である。
【００１８】
図１は、プリント配送システムの１例であり、図１に示すように、プリント配送システム１００は、利用者１０２のカメラ付き携帯電話１０１、管理者１０５のサーバ１０３、画像プリント装置１０７等が、例えば公衆回線等のネットワーク１０９を介して接続されて構成される。
【００１９】
利用者１０２が有するカメラ付き携帯電話１０１は、撮像した画像データを、予め発行された専用アドレスと共に、サーバ１０３に自宅へのプリント配送依頼を行い、サーバ３から、開錠パスワード、保管プリントボックス番号等を通知する配送票を受信する。利用者１０２は、自宅である集合住宅１０８の画像プリント装置１０７の指定プリントボックスに開錠パスワードを入力し、プリント物を取り出す。
尚、本実施の形態では、カメラ付き携帯電話１０１から、サーバ１０３へ、撮像した画像データのプリント配送依頼を行ったが、カメラ付き携帯電話から転送された画像データを有する利用者１０２の携帯電話が、サーバ１０３へプリント配送依頼をしてもよい。
【００２０】
管理者１０５は、プリント配送システム１００を管理する管理者（サービスプロバイダー）であり、サーバ１０３を有する。サーバ１０３は、サーバコンピュータ等であり、登録データベース１０４を有する。登録データベース１０４には、利用者１０２（カメラ付き携帯電話１０１）の登録情報や、集合住宅１０８や店舗１１０に設置された各画像プリント装置１０７の装置登録情報等を保持する。
利用者１０２（カメラ付き携帯電話１０１）の登録情報は、氏名、住所、携帯電話番号、メールアドレス等の個人情報と、自宅最寄の画像プリント装置１０７に対応する専用アドレス等である。
画像プリント装置１０７の装置登録情報は、各画像プリント装置１０７の識別情報、送受信に用いるアドレス情報等からなる。
【００２１】
画像プリント装置１０７は、集合住宅１０８やコンビニエンスストアやプリント店等の店舗１１０内に設ける。画像プリント装置１０７は、サーバ３から受信した画像データのプリント物を印刷出力し、このプリント物をプリントボックスに保管する。
【００２２】
図２は、画像プリント装置１０７の外観斜視図である。
図２に示すように、画像プリント装置１０７は、プリント部２０１とプリントボックス部２０２等からなり、プリント部２０１により、サーバ３から受信した画像データのプリント物２１５を印刷出力し、このプリント物２１５をプリントボックス部２０２に保管する。
【００２３】
プリント部２０１は、プリント手段によりプリント出力されたプリント物２１５を、ソーター手段や搬送手段等により、指定された未使用のプリントボックス２１０に振り分け、排出する。
【００２４】
プリントボックス部２０２は、複数のプリントボックス２１０からなり、各プリントボックス２１０にはボックス番号が付されている。プリントボックス２１０はパスワードを鍵とする錠２１１と、錠付きの扉２１４が設けられている。錠２１１は、入力した文字列を表示する表示パネル２１２と、パスワードを入力するためのテンキー２１３を備えている。
【００２５】
次に、図３を参照しながら、画像プリント装置１０７の概略構成について説明する。
図３は、画像プリント装置１０７のハードウェア構成図である。
【００２６】
画像プリント装置１０７は、制御部３０１、ハードディスク３０２、通信制御装置３０３、ｍ個のプリンタ３０４、錠（１〜ｎ）３０５、ＣＤ−ＲＯＭ読取装置３０６等が、バス３０９を介して接続されている。そして、サーバ１０３と画像プリント装置１０７は、通信制御装置３０２を介してネットワーク１０９に接続されている。
【００２７】
制御部３０１は、ＣＰＵ、ＲＯＭ、ＲＡＭで構成され、大容量記憶媒体としてのハードディスク３０２に格納されたプログラムに従って、バス３０９を介して接続された各装置を駆動制御する。ハードディスク３０２には、各構成部分を駆動制御するプログラム、例えば通信制御プログラム、画像処理プログラム、保管処理プログラム等が格納される。これらの各プログラムコードは、制御部３０１により必要に応じて読み出されてＲＡＭに移され、ＣＰＵに読み出されて各種の手段として実行される。
ＣＤ−ＲＯＭ読取装置３０６は、画像プリント装置１０７のＲＯＭやハードディスク３０２に記憶されている制御プログラムをバージョンアップするために用いられる。
【００２８】
サーバ１０３から送信された画像データは、通信制御装置３０３を通じて画像プリント装置１０７に読み込まれ、制御部３０１により駆動制御されるｍ個のプリンタ３０４のいずれかに送信され、プリント物が出力される。プリンタ３０４は、即時プリントでは対処できない注文に応じることができ、例えば、大量のプリント物を高速で短時間のうちに出力したり、大判サイズのプリント物等の特殊なプリント物を出力することができる。
【００２９】
制御部３０１により設定された認証情報は、各プリントボックス２１０の扉に設置された錠２１１に読み込まれ、施錠する。同時に、設定された認証情報は、通信制御装置３０３を介して、サーバ１０３に送信され、サーバ１０３から受取人の携帯電話１０１にメール送信される。
【００３０】
次にプリント配送システム１００の処理の流れを説明する。
図４は、本発明のプリント配送システム１００の処理の流れを示す。
【００３１】
本発明に属するプリント配送システム１００は、撮像した画像をプリント配送依頼するカメラ付き携帯電話１０１と、プリント配送受付を行うサーバ１０３と、受信した画像データに基づいてプリント出力を行いプリントボックス２１０に保管する画像プリント装置１０７等を含んでおり、カメラ付き携帯電話１０１とサーバ１０３と画像プリント装置１０７とが、ネットワーク１０９を介して接続されている。
【００３２】
カメラ付き携帯電話１０１は、サーバ１０３に対する、登録情報入力処理４０１、撮像した画像データのプリント配送依頼処理４０２、配送票の受け取り処理４０３等を備える。
【００３３】
サーバ１０３は、（１）カメラ付き携帯電話１０１からの登録情報の登録データベース１０４への利用者登録処理４１１、（２）カメラ付き携帯電話１０１からのプリント配送依頼の受付処理４１２、（３）注文内容、画像データに基づいて、専用アドレスに応じて選択した画像プリント装置１０７へのプリント依頼処理４１３、（４）画像プリント装置１０７からの保管情報に基づいた、受取人の携帯電話１０１への配送票送信処理４１４、（５）プリントサービスの料金を計算し、携帯電話会社４３０を介して、利用者から徴収する課金処理４１５等を、少なくとも備えている。
【００３４】
画像プリント装置１０７は、（１）画像データ、注文内容等のデータを受け取るデータ受信処理４２１、（２）画像データに基づいた画像処理４２２（必要に応じて、画像の編集、加工、合成処理を含む）、（３）注文内容に従って、画像データのプリント物２１５を印刷出力する印刷処理４２３、（４）パスワード（認証情報）、保管プリントボックスの設定、通知と共に、パスワードを鍵として施錠するプリント物２１５の保管処理４２４、（５）プリントボックスを開錠するためにパスワードを入力するパスワード入力処理４２５等を少なくとも備えている。
【００３５】
次に、プリント配送システム１００の動作について詳しく説明する。まず、プリント配送システム１００の利用者登録手順の動作について説明する。
図５は、プリント配送システム１００の登録手順の動作を示すフローチャートである。
【００３６】
図５に示すように、カメラ付き携帯電話１０１は、サーバ１０３にアクセスし、利用者１０２により入力された登録情報を送信し、利用者登録要求を行う（ステップ５０１）。登録情報は、利用者１０２の氏名、住所、携帯電話番号、メールアドレス等である。
【００３７】
サーバ１０３は、受け取った登録情報を登録データベース１０４に登録し、保持する（ステップ５０２）。サーバ１０３は、利用者ＩＤ、パスワード、専用アドレス等を発行し、カメラ付き携帯電話１０１に送信する（ステップ５０３）。利用者ＩＤとパスワードは、サーバ１０３へのプリント配送依頼時の識別情報、認証情報である。専用アドレスは、自宅である集合住宅１０８等に設置された画像プリント装置１０７に対応づけられた個別のアドレスである。
尚、戸建て住宅や、画像プリント装置１０７が設置されていない集合住宅等の場合、最寄りの、又は利用者１０２により指定されたコンビニエンスストアやプリント店等の店舗１１０に設置された画像プリント装置１０７に対応づけられた専用アドレスを設定することもできる。
【００３８】
カメラ付き携帯電話１０１は、利用者ＩＤ、パスワード、専用アドレス等を受け取る（ステップ５０４）。
【００３９】
次に、プリント配送手順の動作について説明する。図６、図７は、プリント配送手順の動作を示すフローチャートである。
【００４０】
図６に示すように、カメラ付き携帯電話１０１は、サーバ１０３に、利用者ＩＤ、パスワードを入力後、撮像した画像データ、注文内容情報を指定し、自宅へのプリント配送依頼を送信する（ステップ６０１）。注文内容情報は、配送先アドレス、プリント枚数、プリント種別等である。配送先アドレスに、登録時に発行された専用アドレスを指定することにより、自宅へのプリント配送依頼となる。
また、配送先アドレスに、システム配送システム１００に登録されている他者の専用アドレスを設定すると、システム配送システム１００に登録されている他者へのプリント配送を行うこともできる。
【００４１】
サーバ１０３は、利用者ＩＤとパスワードの確認後、注文内容情報と画像データを受け取り、プリント配送の受付処理を行う（ステップ６０２）。サーバ１０３は、依頼確認として、サービスプリントの料金、注文内容確認等の受付票を、カメラ付き携帯電話１０１に送信する。
【００４２】
サーバ３は、登録データベース１０４内の装置登録情報から、配送先アドレスに応じた該当する画像プリント装置１０７に、注文内容情報と画像データを送信し、プリント依頼する（ステップ６０３）。
【００４３】
画像プリント装置１０７は、注文内容情報と画像データを受信し（ステップ６０４）、プリントボックス部２０２の保管するプリントボックス２１０を設定し、錠のパスワード（認証情報）を設定する（ステップ６０５）。
【００４４】
画像プリント装置１０７は、画像処理を行い（ステップ６０６）、注文内容情報に従って、プリンタ装置に当該画像データを転送し、印刷処理を行う（ステップ６０７）。
画像プリント装置１０７は、印刷出力したプリント物を、保管するプリントボックス２１０に排出し（ステップ６０８）、設定したパスワードで施錠する（ステップ６０９）。
【００４５】
図７に示すように、画像プリント装置１０７は、サーバ１０３に、保管情報として、保管プリントボックス番号、開錠パスワード等を送信する（ステップ７０１）。
サーバ１０３は、受け取った保管プリントボックス番号、開錠パスワード等の保管情報に、注文内容、送り主情報等の情報を加え、プリント配送完了通知として配送票を、受取人の携帯電話１０１に送信する（ステップ７０２）。例えば、利用者１０２が、携帯電話１０１を介して自宅への配送依頼を行った場合、依頼した利用者１０２の携帯電話１０１に配送票が送られる。
【００４６】
サーバ３は、プリントサービスにともなう料金を計算し、徴収する課金処理を行う（ステップ７０３）。例えば、サーバ３は、利用者１０２の携帯電話１０１の契約している携帯電話会社４３０を介して、通話料金として徴収する。また、他者へプリント配送する場合、着払いの指定も可能である。
【００４７】
受取人の有する携帯電話１０１は、配送票を受信する（ステップ７０４）。受取人（利用者１０２）は、配送票に従って、自宅である集合住宅１０８の画像プリント装置１０７の保管プリントボックス番号に該当するプリントボックス２１０のテンキー２１３から開錠パスワードを入力する。
【００４８】
画像プリント装置１０７は、入力された開錠パスワードの照合処理を行い（ステップ７０５）、パスワードが正しければ開錠し、利用者１０２はプリント物２１５を受け取ることができる（ステップ７０６）。
【００４９】
パスワード入力手段としては、数字や文字の入力キーやタッチパネルなどを用いることができる。また、認証情報としてパスワード以外のものを用いる場合には、認証情報の種類に応じて適宜の入力手段を採用する。例えば、認証情報を埋め込んだ磁気カードやＩＣカードを用いる場合にはカードリーダーを設置する。
【００５０】
以上説明したように、本発明の実施の形態によれば、カメラ付き携帯電話１０１は、撮像した画像データと、配送先アドレスとして専用アドレスを、サーバ１０３にプリント配送依頼を行い、サーバ１０３は、携帯電話からの前記画像データと専用アドレスを受け取り、専用アドレスに応じた画像プリント装置１０７に、画像データを送信する。画像プリント装置１０７は、サーバ１０３からの受け取った画像データに基づいて、プリント物を印刷出力し、プリント物をプリントボックスに保管し、設定された認証情報を鍵として施錠する。利用者は、保管手段を開錠するために認証情報を入力し、真正な認証情報であれば開錠する。
【００５１】
これにより、カメラ付き携帯電話１０１により撮像した画像をプリント可能とし、さらに、集合住宅１０８等の自宅のプリントボックス２１０までプリント物配送可能とすることにより、待たされることなく、２４時間いつでもプリント物を受け取ることができ、顧客にとって便利である。
また、即時プリント手段では対応できないプリント物、又は、即時プリント手段でも対応できるが能率の悪いプリント物の注文に対して、顧客に対して効率よい、迅速なサービスを提供することができる。
【００５２】
尚、本実施の形態では、画像プリント装置１０７に認証情報（パスワード）設定手段を有し、サーバ１０３を介して、携帯電話１０１に認証情報を通知したが、サーバ１０３に認証情報設定手段を有し、画像プリント装置１０７にプリント配送依頼を送信する際、注文内容として設定した認証情報を送信し、画像プリント装置１０７がその認証情報で施錠してもよい。
また、プリント依頼毎に、認証情報を設定せず、利用者登録時のパスワードを併用し、サーバ３が、画像プリント装置１０７にプリント配送依頼を送信する際、登録ＤＢ１０４から受取人のパスワードを抽出し、注文内容情報の１つとしてパスワードを送信し、画像プリント装置１０７がそのパスワードで施錠してもよい。
【００５３】
以上、添付図面を参照しながら、本発明にかかるプリント配送システム等の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【００５４】
【発明の効果】
以上、詳細に説明したように本発明によれば、カメラ付き携帯電話により撮像された画像をプリント、配送可能とするプリント配送システムを提供することができる。
【図面の簡単な説明】
【図１】プリント配送システム１００の構成を示すブロック図
【図２】画像プリント装置１０７の外観斜視図
【図３】画像プリント装置１０７のハードウェア構成図
【図４】プリント配送システム１００の処理の流れを示す図
【図５】プリント配送システム１００登録手順の動作を示すフローチャート
【図６】プリント配送手順の動作を示すフローチャート
【図７】プリント配送手順の動作を示すフローチャート
【符号の説明】
１００………プリント配送システム
１０１………カメラ付き携帯電話
１０２………利用者
１０３………サーバ
１０４………登録データベース
１０７………画像プリント装置
１０８………集合住宅
１０９………ネットワーク
２０１………プリント部
２０２………プリントボックス部
【図１】
2004295530.tif 000003
【図２】
2004295530.tif 000004
【図３】
2004295530.tif 000005
【図４】
2004295530.tif 000006
【図５】
2004295530.tif 000007
【図６】
2004295530.tif 000008
【図７】
2004295530.tif 000009